(57)【要約】【課題】特定の場所でのみ入手できる名水等をお土産として持ち帰る事ができ、飾っておくにも見栄えが良い表示機能付き容器を提供する。【解決手段】上記課題を解決するため、本発明は、注入口を備えて液体を収納する容器と、注入口に取り付けて容器を密閉する蓋と、容器内に収納され文字又は絵図が表示された小片、又は容器に注がれた液体に反応して変色する薬剤で文字又は絵図を記載され液体に反応して文字又は絵図が表示される小片、或いは小片を容器内に小さく折られ又は丸められた状態で収納され液体に接触すると元の形状に広がることで文字又は絵図が看取できる小片とを備えたことを特徴する表示機能付き容器の構成とした。 【選択図】  図２
2013091522.tif 000002
【特許請求の範囲】
【請求項１】
注入口を備えて液体を収納する容器と、前記注入口に取り付けて前記容器を密閉する蓋と、前記容器内に収納され文字又は絵図が表示された小片、又は前記容器に注がれた液体に反応して変色する薬剤で文字又は絵図を記載され前記液体に反応して前記文字又は絵図が表示される小片、或いは前記小片を前記容器内に小さく折られ又は丸められた状態で収納され前記液体に接触すると元の形状に広がることで前記文字又は絵図が看取できる前記小片とを備えたことを特徴する表示機能付き容器。
【請求項２】
前記容器を、内壁面に前記文字又は絵図と異なる第２の文字又は絵図を記載若しくは刻印して、前記液体を容器に注入した際に前記第２の文字及び絵図が浮かび上がり、前記容器の外表面から前記第２文字又は絵図を看取する事ができる容器としたことを特徴とする請求項１に記載の表示機能付き容器。
【請求項３】
前記文字を、大吉、吉、小吉及び末吉のいずれかの御神籤、地名、名称、人名、名城、名跡、若しくは寺社仏閣名の何れかの文字とし、前記絵図を、十二支（子丑虎卯辰巳午未申酉戌亥）、七福神（恵比寿、大黒天、毘沙門天、弁財天、福禄寿、寿老人、布袋）、仏像、寺社仏閣、地蔵、植物、動物、乗物、架空状の生物、建物、風景のいずれかの絵図としたことを特徴とする請求項１または請求項２のいずれかに記載の表示機能付き容器。
【請求項４】
前記蓋を、前記注入口に螺合させて前記容器を密閉する蓋、前記注入口に圧入して前記容器を密閉する蓋若又はコルク栓、若しくは前記注入口に被せる蓋のいずれかの蓋としたことを特徴とする請求項１乃至請求項３のいずれか１項に記載の表示機能付き容器。
【請求項５】
前記容器に、液体に浸されると元の形状に戻る液体反応部材を小さく丸め又は折りたたんで複数個内包させたことを特徴とする請求項１乃至請求項４のいずれか１項に記載の表示機能付き容器。
【請求項６】
前記容器に、紐状部材を取付けて、ネックレス、ブレスレット、アンクレット、ストラップ、キーホルダーのいずれかに利用することを特徴とする請求項１乃至請求項５のいずれか１項に記載の表示機能付き容器。
【請求項７】
前記液体反応部材を、三角形、四角形、多角形、円形、ハート型、スペード型、クローバー型、ダイヤ型、星形、結晶型、葉型、花型、動物型、植物型、乗物型、キャラクター型のいずれかの形状の液体反応部材としたことを特徴とする請求項５または請求項６のいずれかに記載の表示機能付き容器。
【請求項８】
前記容器を、円柱状、角柱状、円錐状、角錐状、平板状、円盤状、球体、台形状、ハート型、スペード型、クローバー型、ダイヤ型、星形、だるま型、招き猫型、十二支（子丑虎卯辰巳午未申酉戌亥）型、七福神（恵比寿、大黒天、毘沙門天、弁財天、福禄寿、寿老人、布袋）型、仏像型、寺社仏閣型、地蔵型、花型、葉型、動物型、乗物型、架空状の生物型、キャラクターのいずれかの形状の容器とし、
前記注入口を、前記容器の上面、背面又は底面の何れかに設けたことを特徴とする
請求項１乃至請求項７のいずれか１項に記載の表示機能付き容器。
【発明の詳細な説明】
【技術分野】
【０００１】
本発明は、液体を注入してお土産として持ち帰る事が出来る表示機能付き容器に関する。
【背景技術】
【０００２】
従来、様々な土地の名水や、各地域でしか手に入れる事が出来ない海水、湖水、川の水、滝の水等の液体は、市販のペットボトルやポリタンクに入れて持ち帰っていた。
【０００３】
しかしながら、これらは主に飲み水や開運のためのお水取りとして持ち帰るためであって近場であることが多く、遠方へ出かけた際にその土地に名水等があっても持ち帰るようなことは稀で、例えペットボトル等で持ち帰ったとしても飲んでしまえば無くなり、取っておくには量が多すぎたり、飾っておくのも見栄えが悪いものであった。
【先行技術文献】
【特許文献】
【０００４】
【特許文献１】特開２０００−３２７０１０号公報
【発明の概要】
【発明が解決しようとする課題】
【０００５】
そこで本発明は、その土地土地でしか手に入れることが出来ないような名水等をお土産として持ち帰る事ができ、飾っておくにも見栄えが良い表示機能付き容器を提供する。
【課題を解決するための手段】
【０００６】
本発明は、上記の課題を解決するために、注入口を備えて液体を収納する容器と、前記注入口に取り付けて前記容器を密閉する蓋と、前記容器内に収納され文字又は絵図が表示された小片、又は前記容器に注がれた液体に反応して変色する薬剤で文字又は絵図を記載され前記液体に反応して前記文字又は絵図が表示される小片、或いは前記小片を前記容器内に小さく折られ又は丸められた状態で収納され前記液体に接触すると元の形状に広がることで前記文字又は絵図が看取できる前記小片と、を備えたことを特徴する表示機能付き容器の構成とした。
【０００７】
また、前記容器を、内壁面に前記文字又は絵図と異なる第２の文字又は絵図を記載若しくは刻印して、前記液体を容器に注入した際に前記第２の文字及び絵図が浮かび上がり、前記容器の外表面から前記第２文字又は絵図を看取する事ができる容器としたことを特徴とする表示機能付き容器の構成とした。
【０００８】
また、前記文字を、大吉、吉、小吉及び末吉のいずれかの御神籤、地名、名称、人名、名城、名跡、若しくは寺社仏閣名の何れかの文字とし、前記絵図を、十二支（子丑虎卯辰巳午未申酉戌亥）、七福神（恵比寿、大黒天、毘沙門天、弁財天、福禄寿、寿老人、布袋）、仏像、寺社仏閣、地蔵、植物、動物、乗物、架空状の生物、建物、風景のいずれかの絵図としたことを特徴とする表示機能付き容器の構成とした。
【０００９】
また、前記蓋を、前記注入口に螺合させて前記容器を密閉する蓋、前記注入口に圧入して前記容器を密閉する蓋若又はコルク栓、若しくは前記注入口に被せる蓋のいずれかの蓋としたことを特徴とする表示機能付き容器の構成とした。
【００１０】
また、前記容器に、さらに、液体に浸されると元の形状に戻る液体反応部材を小さく丸め又は折りたたんで複数個内包させたことを特徴とする表示機能付き容器の構成とした。
【００１１】
また、前記容器に、さらに、紐状部材を取付けて、ネックレス、ブレスレット、アンクレット、ストラップ、キーホルダーのいずれかに利用することを特徴とする表示機能付き容器の構成とした。
【００１２】
更に、前記液体反応部材を、三角形、四角形、多角形、円形、ハート型、スペード型、クローバー型、ダイヤ型、星形、結晶型、葉型、花型、動物型、植物型、乗物型、キャラクター型のいずれかの形状の液体反応部材としたことを特徴とする表示機能付き容器の構成とした。
【００１３】
加えて、前記容器を、円柱状、角柱状、円錐状、角錐状、平板状、円盤状、球体、台形状、ハート型、スペード型、クローバー型、ダイヤ型、星形、だるま型、招き猫型、十二支（子丑虎卯辰巳午未申酉戌亥）型、七福神（恵比寿、大黒天、毘沙門天、弁財天、福禄寿、寿老人、布袋）型、仏像型、寺社仏閣型、地蔵型、花型、葉型、動物型、乗物型、架空状の生物型、キャラクターのいずれかの形状の容器とし、前記注入口を、前記容器の上面、背面又は底面の何れかに設けたことを特徴とする表示機能付き容器の構成とした。
【発明の効果】
【００１４】
本発明は上記のような構成であるため、その地域でしか手に入れる事ができない名水等をはじめとする液体をお土産として持ち帰る事ができる。
【００１５】
また、持ち帰った後も置物として飾っておくことができ、特に御利益があると言われているような名水であれば、付加価値の付いたお土産として親類や友達に渡すことができる。
【００１６】
また、容器を小型化して紐を備えた場合、装飾具として使用できるため、縁起のいい名水であれば、肌身離さず身につけることができる。
【００１７】
更に、液体に反応して記載内容を看取できる表示部を備えているため、前記表示部を御神籤とした場合は、名水等を容器に注入する楽しみを倍増させ、前記表示部に観光地名等を併せて表示した場合は、より多くの観光客や訪問者に観光地名、名城、名跡、名水等を記憶してもらうことができる。
【００１８】
加えて、これまで観光地のお土産は記載されている名称やネーミングが異なるだけであり、中身は同じようなものが多く、印象に残るようなお土産は少なかったが、前記容器に入れる名水等は、その地域、場所に限定されたものであるため、どこを訪れた時に持ち帰った水であるか容易に思い出すことができ、水を注入する行為を自身で行うため、その時々の思い出も甦りやすくなり、訪れた後も楽しむことができる。
【図面の簡単な説明】
【００１９】
【図１】本発明である表示機能付き容器の斜視図である。
【図２】本発明である表示機能付き容器の第二実施例の斜視図である。
【図３】本発明である表示機能付き容器の第三実施例の斜視図である。
【図４】本発明である表示機能付き容器の第四、第五、第六実施例の斜視図である。
【図５】本発明である表示機能付き容器の第七実施例の斜視図である。
【図６】本発明である表示機能付き容器の第八実施例の正面図及び断面図である。
【図７】本発明である表示機能付き容器の第九実施例の正面図及び断面図である。
【図８】本発明である表示機能付き容器の第十実施例の正面図である。
【図９】本発明である表示機能付き容器の第十実施例の正面図である。
【図１０】本発明である表示機能付き容器の第十実施例の正面図である。
【図１１】本発明である表示機能付き容器の第十実施例の正面図である。
【発明を実施するための形態】
【００２０】
以下、添付の図面を参照し、本発明の実施の形態について詳細に説明する。図１は本発明である表示機能付き容器の斜視図、図２は表示機能付き容器の第二実施例の斜視図、図３は表示機能付き容器の第三実施例の斜視図、図４は表示機能付き容器の第四、第五、第六実施例の斜視図、図５は表示機能付き容器の第七実施例の斜視図、図６は表示機能付き容器の第八実施例の正面図及び断面図、図７は表示機能付き容器の第九実施例の正面図及び断面図、図８から図１１は表示機能付き容器の第十の正面図である。
【実施例１】
【００２１】
図１に示すように、本発明である表示機能付き容器１０は、注入口３を備えて液体を収納する容器１と、前記注入口３に取り付けて前記容器１を密閉する蓋４と、前記容器１内に収納され文字又は絵図が表示された小片２、又は前記容器１に注がれた液体に反応して変色する薬剤で文字又は絵図を記載され前記液体に反応して前記文字又は絵図が表示される小片２、或いは前記小片２を前記容器１内に小さく折られ又は丸められた状態で収納され前記液体に接触すると元の形状に広がることで前記文字又は絵図が看取できる前記小片２とからなる。
【００２２】
図１に示すように、前記容器１は達磨型をしており、容器１の底面が平らになっている。また底面の径が最も大きく、上部に進むに従って少しずつ径が小さくなり、達磨の頭部に当たる部分は一定の径を保ち、上端は丸くなっている。容器１の外表面の一部には達磨を表現する顔等が印刷又は彫られている。
【００２３】
前記容器１は透明又は半透明であり、内部が中空となっている。また、前記容器１の上端には注入口３が開口されており、この注入口３から容器１内に液体を注入することができる。前記注入口３には前記蓋４を着脱することができ、前記蓋４は、ゴム製やコルク栓などの圧入方法で容器１を密閉できるものが好適である。但し、これらに限定したものではなく、ネジ式として螺合させてもよい。また、前記注入口３を容器１から突出させて設け、注入口３に蓋４を被せる方法であってもよい。
【００２４】
前記容器１には小片２が内包されており、図１では、この小片２を御神籤とした。前述の通り、前記小片２は、液体に接触するまでは記載内容が看取できない状態となっている。一つは、液体に反応して変色する薬剤で小片２に記載したもので、もう一つは、液体に浸される前に小さく丸められ、又は小さく折りたたまれて記載内容を看取できない状態とし、液体に浸されると元の形状に広がり、記載内容を看取できるようにした小片２である。
【００２５】
尚、前記小片２は、いずれか一方の方法としたことに限定するものではなく、両方を採用したものであっても良い。即ち、液体に反応して変色する薬剤で小片２に記載し、更にそれを小さく丸め又は折りたたんだ状態で容器１に収納してもよい。このようにすることで、容器１に液体を注入する前の小片２の記載内容の秘密状体をより確かなものにでき、購入者の運試しへの期待感を増大させる効果が見込まれる。
【実施例２】
【００２６】
図２（Ａ）から（Ｃ）に示すように、本発明である表示機能付き容器１０ａは、注入口１１ａを備えて液体１４を収納する容器１１と、前記注入口１１ａに取り付けて前記容器１１を密閉する蓋１２と、前記容器１１内に収納され文字又は絵図が表示された小片１３、又は前記容器１１に注がれた液体１４に反応して変色する薬剤で文字又は絵図を記載され前記液体１４に反応して前記文字又は絵図が表示される小片１３、或いは前記小片１３を前記容器１１内に小さく折られ又は丸められた状態で収納され前記液体１４に接触すると元の形状に広がることで前記文字又は絵図が看取できる前記小片１３とからなる。
【００２７】
前記容器１１は、略円柱状で内部が中空で更に上端に注入口１１ａを形成している。前記注入口１１ａには蓋１２を着脱することができ、図２では、蓋１２の外周面にネジ山を設けて注入口１１ａに螺合する方法とした。但し、蓋１２を注入口１１ａに螺合する方法に限定したものではなく、前記蓋１２をゴム製やコルク栓として注入口１１ａに圧入する方法であってもよい。また、注入口１１ａの外周面（容器１１の外周に当たる面）を覆うような蓋１２であってもよい。
【００２８】
実施例１との違いは、容器の形状だけであり、前記容器１１が透明又は半透明の素材でできていることや、容器１１内に小片１３を設けており、前記小片１３が御神籤あることは同じである。
【実施例３】
【００２９】
図３（Ａ）から（Ｃ）に示すように、本発明である表示機能付き容器１０ｂは、注入口１１ａを備えて液体１４を収納する容器１１と、前記注入口１１ａに取り付けて前記容器１１を密閉する蓋１２と、前記容器１１内に収納され文字又は絵図が表示された小片１３、又は前記容器１１に注がれた液体１４に反応して変色する薬剤で文字又は絵図を記載され前記液体１４に反応して前記文字又は絵図が表示される小片１３、或いは前記小片１３を前記容器１１内に小さく折られ又は丸められた状態で収納され前記液体１４に接触すると元の形状に広がることで前記文字又は絵図が看取できる前記小片１３と、前記容器１１内に収納され液体１４に浸されると元の形状に戻る液体反応部材１５とからなる。
【００３０】
図３の各図に示すように、実施例３の表示機能付き容器１０ｂは、実施例２の表示機能付き容器１０ａに液体１４に浸されると元の形状に戻る液体反応部材１５を追加したものである。
【００３１】
図３（Ａ）（Ｂ）に示すように、前記液体反応部材１５は、液体１４に反応する前は小さく丸められ又は折りたたまれて元の形状は分からない状態で容器１１内に収納されていることが望ましく、容器１１に液体１４を注入したあと、前記液体反応部材１５はゆっくりと元の形状に戻り、同じく元の形状に戻った小片１３の回りを浮遊し、置物としての美観を高める。尚、実施例３では前記液体反応部材１５の元の形状を花の形とした。
【実施例４】
【００３２】
図４（Ａ）に示すように、本発明である表示機能付き容器１０ｃは、実施例３の前記表示機能付き容器１０ｂと同じ構成をしており、前記液体反応部材１５の元の形状が異なるだけである。
【００３３】
即ち、前記液体反応部材１５の元の形状をもみじの葉型とした。例えば、名水と共に紅葉が有名な地域であれば、前記液体反応部材１５の元の形状をもみじの葉型とすることで、その地の風景が思い出される置物としての効果が期待できる。
【実施例５】
【００３４】
図４（Ｂ）に示すように、本発明である表示機能付き容器１０ｄは、実施例３及び４の前記表示機能付き容器１０ｂ、１０ｃと同じ構成をしており、前記液体反応部材１５の元の形状が異なるだけである。
【００３５】
即ち、前記液体反応部材１５の元の形状をハート型とした。例えば、名水と共に縁結びの御利益がある寺社仏閣であれば、前記液体反応部材１５の元の形状をハート型とすることで、その地又はその土地の寺社仏閣で縁結びを祈願した思い出がつまった置物として飾ることができる。
【実施例６】
【００３６】
図４（Ｃ）に示すように、本発明である表示機能付き容器１０ｅは、実施例３、４、５の前記表示機能付き容器１０ｂ、１０ｃ、１０ｄと同じ構成をしており、前記液体反応部材１５の元の形状が異なるだけである。
【００３７】
即ち、前記液体反応部材１５の元の形状を魚の形とした。例えば、透明度が高く綺麗な海として有名な地であれば、前記液体反応部材１５の元の形状を魚の形とすることで、綺麗な海から持ち帰った液体であることが分かり、その地での思い出が甦りやすくなる。
【００３８】
以上のように、前記液体反応部材１５の元の形は花型、もみじ型、ハート型及び魚の形に限定したものではなく、三角形、四角形、多角形、円形、スペード型、クローバー型、ダイヤ型、星形、結晶型、葉型、花型、動物型、植物型、乗物型、キャラクター型等であっても構わない。また、ここに列記した以外にも、その地を表すような形状としてもよい。
【実施例７】
【００３９】
図５（Ａ）〜（Ｃ）に示すように、本発明である表示機能付き容器１０ｆは、実施例２の表示機能付き容器１０ａとほぼ同じ構成をしている。
【００４０】
即ち、表示機能付き容器１０ａと異なる点は、前記容器１１の内壁面に前記小片１３に記載される文字又は絵図と異なる第２の文字又は絵図からなる第二の表示１１ｂを記載若しくは刻印して、前記液体１４を容器１１に注入した際に前記第二の表示１１ｂが浮かび上がり、前記容器１１の外表面から前記第二の表示１１ｂを看取する事ができる容器１１とした。
【００４１】
以上のように、容器１１の内壁面に第二の表示１１ｂが浮かび上がるようにし、小片１３では記載できなかったこと、又は小片１３とは異なる内容の文字（絵図）を容器１１に表示することができる。
【００４２】
前記第二の表示１１ｂを容器１１の内壁面に液体に反応する薬剤で記載し、液体１４の注入と共に変色して表示される方法や、容器１１の内壁面に刻印して液体１４の注入により光の反射加減で刻印内容が看取できる方法、その他、液体に反応する薬剤で記載したシートを容器１１の内壁面に貼付する方法などが考えられる。
【００４３】
尚、前記小片１３と第二の表示１１ｂの文字は、大吉、吉、小吉及び末吉のいずれかの御神籤、地名、名称、人名、名城、名跡、寺社仏閣名等が考えられ、前記小片１３と第二の表示１１ｂの絵図は、十二支（子丑虎卯辰巳午未申酉戌亥）、七福神（恵比寿、大黒天、毘沙門天、弁財天、福禄寿、寿老人、布袋）、仏像、寺社仏閣、地蔵、植物、動物、乗物、架空状の生物、建物、風景等が考えられる。
【００４４】
例えば、名水と言われる滝の水をお土産とする場合、前記小片１３には御神籤を表示できるようにし、第二の表示１１ｂには滝の名称が表示される組合せとすれば、その水がどこで手に入れた水であるか、より分かりやすくなり、更にその地が紅葉で有名であれば、前記液体反応部材１５をもみじの葉の形として容器１１に加え、置物としての美観を向上させることができる。
【００４５】
また、前記小片１３は、一方の面（表面）だけに文字や絵図を記載するだけでなく、他方の面（裏面）にも異なる文字や絵図を記載した小片１３であっても構わない。
【実施例８】
【００４６】
図６（Ａ）（Ｂ）に示すように、本発明である表示機能付き容器１０ｇは、前記容器１１の形状及び液体反応部材１５の元の形状をハート型とし、小片１３に御神籤を記載し、更に前記容器１１に紐１６を取り付けて、前記表示機能付き容器をネックレス、ブレスレット、アンクレット、ストラップ、キーホルダー等として利用することができるようにした。
【００４７】
以上のように、表示機能付き容器自体を身につけることができるようにし、御利益があると言われている名水や縁起がよいとされている名水を肌身離さず持ち歩くことができる。
【００４８】
尚、実施例１から実施例８で説明した前記容器１、１１の形状は特に限定したものではなく、円柱状、角柱状、円錐状、角錐状、平板状、円盤状、球体、台形状、ハート型、スペード型、クローバー型、ダイヤ型、星形、だるま型、招き猫型、十二支（子丑虎卯辰巳午未申酉戌亥）型、七福神（恵比寿、大黒天、毘沙門天、弁財天、福禄寿、寿老人、布袋）型、仏像型、寺社仏閣型、地蔵型、花型、葉型、動物型、乗物型、架空状の生物型、キャラクター等であってもよく、また、前記注入口３、１１ａを、前記容器１、１１の上面、背面又は底面の何れかであってもよい。
【００４９】
以下の実施例は、上記で示した容器１、１１の形状の中から数種選択し、例として図示したものである。
【実施例９】
【００５０】
図７に示した表示機能付き容器１０ｈは、実施例１の達磨よりも丸みを帯びた達磨の形状をした容器１１からなり、小片１３を御神籤とし、液体反応部材１５をもみじの形とした。
【００５１】
前記容器１１の外表面の半周分は達磨の図柄が記載され、残りの半周分は透明又は半透明となっている。
【実施例１０】
【００５２】
以下、図８から図１１は、表示機能付き容器の容器１１の形状を十二支とした場合の図である。
【００５３】
図８の上段図に示すように、表示機能付き容器１０ｉは、容器１１の形状が十二支の「子」の形状をしており、大きな耳と鼻先に向かって尖った顔が特徴的である。しっぽは細長く、前記鼻から長い髭が伸びている。
【００５４】
図８の中段図に示すように、表示機能付き容器１０ｊは、容器１１の形状が十二支の「丑」の形状をしており、顔の両側に水平に突出した耳、二本の角、大きな鼻が特徴的である。
【００５５】
図８の下段図に示すように、表示機能付き容器１０ｋは、容器１１の形状が十二支の「寅」の形状をしており、顔の両脇及び額並びに尻尾の縞、前足の鋭い爪が特徴的である。
【００５６】
図９の上段図に示すように、表示機能付き容器１０ｌは、容器１１の形状が十二支の「卯」の形状をしており、長く伸びた耳、二本の大きな前歯、丸い尻尾が特徴的である。
【００５７】
図９の中段図に示すように、表示機能付き容器１０ｍは、容器１１の形状が十二支の「辰」の形状をしており、先端が二股である二本の角、大きな鼻とその両側の長い髭及び牙が特徴的である。
【００５８】
図９の下段図に示すように、表示機能付き容器１０ｎは、容器１１の形状が十二支の「巳」の形状をしており、先端が二股に割れた舌が特徴的である。
【００５９】
図１０の上段図に示すように、表示機能付き容器１０ｏは、容器１１の形状が十二支の「午」の形状をしており、長い顔、大きな鼻、大きな前歯及び蹄が特徴的である。
【００６０】
図１０の中段図に示すように、表示機能付き容器１０ｐは、容器１１の形状が十二支の「未」の形状をしており、小さな顔、巻いた角、垂れた耳が特徴的である。
【００６１】
図１０の下段図に示すように、表示機能付き容器１０ｑは、容器１１の形状が十二支の「申」の形状をしており、大きな耳、大きな口、大きな手が特徴的である。
【００６２】
図１１の上段図に示すように、表示機能付き容器１０ｒは、容器１１の形状が十二支の「酉」の形状をしており、小さな嘴、鶏冠、羽根、及び足が特徴的である。
【００６３】
図１１の中段図に示すように、表示機能付き容器１０ｓは、容器１１の形状が十二支の「戌」の形状をしており、大きな目、鼻、垂れた耳、太い前足が特徴的である。
【００６４】
図１１の下段図に示すように、表示機能付き容器１０ｔは、容器１１の形状が十二支の「亥」の形状をしており、鼻、その両脇の角が特徴的である。
【００６５】
尚、前記液体１４には、滝の水、海水、湖水、川の水、湧き水、池の水、聖水、名水と呼ばれるもの等などが考えられるが、これらに限定したものではなく、これら以外の液体であっても構わない。
【産業上の利用可能性】
【００６６】
本発明である表示機能付き容器は、その土地の名水等を単純に持ち帰るための容器ではなく、運試しの御神籤やその土地に縁のある名称等を表示することができるため、名水等を持ち帰った後でも、容器内の液体（水）がどの場所のもので、その場所での出来事を思い出しやすくなり、お土産としての効果が大きく、お土産を扱う観光地を始め、多くの領域に多大な貢献をもたらす。
【符号の説明】
【００６７】
１            容器
２            小片
３            注入口
４            蓋
１０〜１０ｔ  表示機能付き容器
１１          容器
１１ａ        注入口
１１ｂ        第二の表示
１２          蓋
１３          小片
１４          液体
１５          液体反応部材
１５ａ        液体反応部材
１５ｂ        液体反応部材
１５ｃ        液体反応部材
１６          紐
【図１】
2013091522.tif 000003
【図２】
2013091522.tif 000004
【図３】
2013091522.tif 000005
【図４】
2013091522.tif 000006
【図５】
2013091522.tif 000007
【図６】
2013091522.tif 000008
【図７】
2013091522.tif 000009
【図８】
2013091522.tif 000010
【図９】
2013091522.tif 000011
【図１０】
2013091522.tif 000012
【図１１】
2013091522.tif 000013
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
名水を注ぐ注入口を備えて名水を収納する容器と、
前記注入口に取り付けて前記容器を密閉する蓋と、
大吉、吉、小吉及び末吉のいずれかの御神籤が表示され小さく折られ又は丸められた状態で前記容器内に収納され前記名水に接触すると元の形状に広がることで前記御神籤が看取できる小片と、
小さく丸め又は折りたたんだ状態で前記容器内に収納され前記名水に浸されると前記名水を入手した地を表す元の形状に戻る液体反応部材と、
を備えたことを特徴する表示機能付き容器。
【請求項２】
前記容器を、内壁面に文字又は絵図を記載若しくは刻印して、前記名水を容器に注入した際に前記文字及び絵図が浮かび上がり、前記容器の外表面から前記文字又は絵図を看取する事ができる容器としたことを特徴とする請求項１に記載の表示機能付き容器。
【請求項３】
前記文字を、大吉、吉、小吉及び末吉のいずれかの御神籤、地名、名称、人名、名城、名跡、若しくは寺社仏閣名の何れかの文字とし、前記絵図を、十二支（子丑虎卯辰巳午未申酉戌亥）、七福神（恵比寿、大黒天、毘沙門天、弁財天、福禄寿、寿老人、布袋）、仏像、寺社仏閣、地蔵、植物、動物、乗物、架空状の生物、建物、風景のいずれかの絵図としたことを特徴とする請求項２に記載の表示機能付き容器。
【請求項４】
前記蓋を、前記注入口に螺合させて前記容器を密閉する蓋、前記注入口に圧入して前記容器を密閉する蓋若又はコルク栓、若しくは前記注入口に被せる蓋のいずれかの蓋としたことを特徴とする請求項１乃至請求項３のいずれか１項に記載の表示機能付き容器。
【請求項５】
前記容器に、紐状部材を取付けて、ネックレス、ブレスレット、アンクレット、ストラップ、キーホルダーのいずれかに利用することを特徴とする請求項１乃至請求項４のいずれか１項に記載の表示機能付き容器。
【請求項６】
前記液体反応部材を、三角形、四角形、多角形、円形、ハート型、スペード型、クローバー型、ダイヤ型、星形、結晶型、葉型、花型、動物型、植物型、乗物型、キャラクター型のいずれかの形状の液体反応部材としたことを特徴とする請求項１乃至請求項５のいずれか１項に記載の表示機能付き容器。
【請求項７】
前記容器を、円柱状、角柱状、円錐状、角錐状、平板状、円盤状、球体、台形状、ハート型、スペード型、クローバー型、ダイヤ型、星形、だるま型、招き猫型、十二支（子丑虎卯辰巳午未申酉戌亥）型、七福神（恵比寿、大黒天、毘沙門天、弁財天、福禄寿、寿老人、布袋）型、仏像型、寺社仏閣型、地蔵型、花型、葉型、動物型、乗物型、架空状の生物型、キャラクターのいずれかの形状の容器とし、
前記注入口を、前記容器の上面、背面又は底面の何れかに設けたことを特徴とする
請求項１乃至請求項６のいずれか１項に記載の表示機能付き容器。